【手続補正書】
【提出日】平成18年11月14日(2006.11.14)
【手続補正１】
【補正対象書類名】特許請求の範囲
【補正対象項目名】全文
【補正方法】変更
【補正の内容】
【特許請求の範囲】
【請求項１】
サーバが保持する電子ファイルの中から指定された原稿に対応する電子ファイルを検索し、検索された電子ファイルを取得して出力する画像処理システムであって、
原稿を表す画像データを入力する入力手段と、
前記入力手段で入力された画像データから前記サーバを特定するための付加情報を抽出する抽出手段と、
前記抽出手段で抽出された付加情報を解析することにより前記入力手段で入力された画像データに対応する電子ファイルを保持するサーバを特定する解析手段と、
前記入力手段で入力された画像データの特徴を認識する認識手段と、
前記認識手段で認識された特徴に基づき前記入力手段で入力された画像データに一致又は類似している電子ファイルを、前記解析手段により特定されたサーバから検索する検索手段と、
前記検索手段で検索された電子ファイルを取得する取得手段と
を備えることを特徴とする画像処理システム。
【請求項２】
前記検索手段により前記入力手段で入力された画像データに一致又は類似した電子ファイルが検索できなかった場合、前記入力手段で入力された画像データを予め決められた形式の電子ファイルに変換する変換手段と、
前記変換手段により変換された電子ファイルを保持する保持手段と
をさらに備えることを特徴とする請求項１に記載の画像処理システム。
【請求項３】
前記変換手段により得られた電子ファイルを保持する前記保持手段のアドレス情報を付加情報として該電子ファイルに付加する情報付加手段と、
前記情報付加手段で該付加情報が付加された画像データを出力する出力手段と
をさらに備えることを特徴とする請求項２に記載の画像処理システム。
【請求項４】
前記情報付加手段が、前記付加情報を２次元バーコードに変換して、前記画像データに付加することを特徴とする請求項３に記載の画像処理システム。
【請求項５】
前記抽出手段が、透かし情報、バーコード情報、文字情報又は図形情報のいずれかを用いて原稿中に付加されている前記付加情報を抽出することを特徴とする請求項１から４までのいずれか１項に記載の画像処理システム。
【請求項６】
前記入力手段が、原稿を光学的に読み取ってデジタル画像信号に変換することにより原稿を表す画像データを入力することを特徴とする請求項１から５までのいずれか１項に記載の画像処理システム。
【請求項７】
アクセス制限のある電子ファイルを保持するサーバから前記取得手段が該電子ファイルを取得するに先立って、パスワードの入力を要求するパスワード要求手段と、
入力されたパスワードが正しいかどうかを判定するパスワード判定手段と、
正しいパスワードが入力された場合、当該電子ファイルへのアクセスを許可する許可手段とをさらに備え、
前記取得手段は、前記許可手段によって前記電子ファイルへのアクセスが許可されたことを条件として、該電子ファイルを取得する
ことを特徴とする請求項１から６までのいずれか１項に記載の画像処理システム。
【請求項８】
前記変換手段は、前記入力手段で入力された画像データに含まれるオブジェクトを予め決められた文書作成ソフトウェアで取り扱い可能なフォーマットに変換することを特徴とする請求項２に記載の画像処理システム。
【請求項９】
前記変換手段は、
前記入力手段で入力された画像データを文字コード化する文字処理手段と、
前記入力手段で入力された画像データをベクトルデータに変換するベクトル化手段と、
前記入力手段で入力された画像データを予め決められた画像形式に変換する画像変換手段とを含み、
前記入力手段で入力された画像データを、その属性に応じて前記文字処理手段、前記ベクトル化手段、前記画像変換手段の少なくともいずれかを用いて変換する
ことを特徴とする請求項２から８までのいずれか１項に記載の画像処理システム。
【請求項１０】
前記認識手段が、
前記入力手段で入力された画像データを、その画像データの属性に基づいて複数のブロックに分割する分割手段と、
前記分割手段で分割されたブロックのブロック数を認識するブロック数認識手段とを備え、
前記検索手段が、
前記入力手段で入力された画像データ及びサーバが保持している電子ファイルに対応する画像データのブロック数を比較する第１の比較手段と、
対応するブロックごとにそれぞれのブロックの属性の類似度を比較する第２の比較手段と、
前記入力手段で入力された画像データ及びサーバが保持している電子ファイルに対応する画像データの総合類似度を算出する算出手段と、
前記総合類似度が基準閾値以上の場合、前記入力手段で入力された画像データ及びサーバが保持している電子ファイルに対応する画像データが一致又は類似していると判定する判定手段と
を備えることを特徴とする請求項１から９までのいずれか１項に記載の画像処理システム。
【請求項１１】
前記判定手段により判定されたサーバが保持する電子ファイルに対応する画像データを前記総合類似度が高い順にサムネール表示するサムネール表示手段と、
表示されたサムネールから少なくとも１つのサムネールを選択する選択手段と、
前記選択手段により選択された前記サムネールに対応する画像データに基づく画像を記録媒体上に印刷出力する
ことを特徴とする請求項１０に記載の画像処理システム。
【請求項１２】
前記検索手段は、前記サーバを特定する情報に基づくサーバが該当する電子ファイルを保持していない場合、他のサーバが保持する電子ファイルを検索し、
前記取得手段は、前記他のサーバから電子ファイルを取得する
ことを特徴とする請求項１から１１までのいずれか１項に記載の画像処理システム。
【請求項１３】
サーバが保持する電子ファイルの中から指定された原稿に対応する電子ファイルを検索し、検索された電子ファイルを取得して出力する画像処理方法であって、
原稿を表す画像データを入力する入力工程と、
前記入力工程で入力された画像データから前記サーバを特定するための付加情報を抽出する抽出工程と、
前記抽出工程で抽出された付加情報を解析することにより前記入力工程で入力された画像データに対応する電子ファイルを保持するサーバを特定する解析工程と、
前記入力工程で入力された画像データの特徴を認識する認識工程と、
前記認識工程で認識された特徴に基づき前記入力工程で入力された画像データに一致又は類似している電子ファイルを、前記解析工程により特定されたサーバから検索する検索工程と、
前記検索工程で検索された電子ファイルを取得する取得工程と
を有することを特徴とする画像処理方法。
【請求項１４】
請求項１乃至１２のいずれか１項に記載の画像処理システムによる処理をコンピュータにより実行させるための記憶媒体に記憶可能なプログラム。
【手続補正２】
【補正対象書類名】明細書
【補正対象項目名】０００６
【補正方法】変更
【補正の内容】
【０００６】
上記目的を達成するため、本発明に係る画像処理システムは、
サーバが保持する電子ファイルの中から指定された原稿に対応する電子ファイルを検索し、検索された電子ファイルを取得して出力する画像処理システムであって、
原稿を表す画像データを入力する入力手段と、
前記入力手段で入力された画像データから前記サーバを特定するための付加情報を抽出する抽出手段と、
前記抽出手段で抽出された付加情報を解析することにより前記入力手段で入力された画像データに対応する電子ファイルを保持するサーバを特定する解析手段と、
前記入力手段で入力された画像データの特徴を認識する認識手段と、
前記認識手段で認識された特徴に基づき前記入力手段で入力された画像データに一致又は類似している電子ファイルを、前記解析手段により特定されたサーバから検索する検索手段と、
前記検索手段で検索された電子ファイルを取得する取得手段と
を備えることを特徴とする。
【手続補正３】
【補正対象書類名】明細書
【補正対象項目名】０００７
【補正方法】変更
【補正の内容】
【０００７】
上記目的を達成するため、本発明に係る画像処理方法は、
サーバが保持する電子ファイルの中から指定された原稿に対応する電子ファイルを検索し、検索された電子ファイルを取得して出力する画像処理方法であって、
原稿を表す画像データを入力する入力工程と、
前記入力工程で入力された画像データから前記サーバを特定するための付加情報を抽出する抽出工程と、
前記抽出工程で抽出された付加情報を解析することにより前記入力工程で入力された画像データに対応する電子ファイルを保持するサーバを特定する解析工程と、
前記入力工程で入力された画像データの特徴を認識する認識工程と、
前記認識工程で認識された特徴に基づき前記入力工程で入力された画像データに一致又は類似している電子ファイルを、前記解析工程により特定されたサーバから検索する検索工程と、
前記検索工程で検索された電子ファイルを取得する取得工程と
を有することを特徴とする。